(57)【特許請求の範囲】
【請求項１】
原稿画像を色分解して読みとることにより複数の色信号を出力する読み取り手段と，
前記読み取り手段から出力される複数の色信号から第１の色情報を表す第１の色信号と第２の色情報を表す第２の色信号を分離して出力する分離手段と，
前記第１の色信号に基づき第１の色の可視像を形成する第１の像形成手段と，
前記第２の色信号に基づき第２の色の可視像を形成する第２の像形成手段と，
前記第１の色信号または前記第２の色信号に日付情報を付加する日付情報付加手段と，
前記第１の色信号または前記第２の色信号に前記日付情報を付加しない第１モードと，
前記第の１の色信号または前記第２の色信号に前記日付け情報を付加し，前記第１の色信号，前記第２の色信号、および前記日付情報をそれぞれ第１の色とする第２モードと，
前記第１の色信号または前記第２の色信号に前記日付情報を付加し，前記第１の色信号および前記第２の色信号を第１の色とし，前記日付情報を第２の色とする第３モードと、
前記第１モード，前記第２モード及び前記第３モードのうちのいずれか１つを選択する選択手段と，
前記選択手段によって選択されたモードにより前記第１の色の場合は前記第１の像形成手段に，前記第２の色の場合は前記第２の像形成手段に出力設定する制御手段と，
を備えたことを特徴とする複写装置。
【発明の詳細な説明】
【０００１】
【産業上の利用分野】
本発明は，複数色での画像形成を行う複写装置における画像処理に関する。
【０００２】
【従来の技術】
近年の複写装置においては，黒色などによる従来からのモノトーンでの画像形成だけではなく，もう１色加えた画像形成を行い，原稿上の印鑑などの朱色も再現できるようにして表現力を高めた装置が提案されている。
また，原稿画像信号に対し種々の処理（変形，加工，付加処理など）を施す，高機能な複写装置も提案されている。
【０００３】
例えば特開昭６３ー１９９５６８「画像処理装置」においては，原稿画像に対し斜体画像を生成する装置が提案されている。
また，特開平４−１８４５７４「画像処理装置」においては，原稿画像に対し中抜き（輪郭）画像を得る装置が，特開昭６２−２４５７７４「画像形成装置」においては，暦や時刻を画像情報とともに用紙に書き込む装置が提案されている。
【０００４】
【発明が解決しようとする課題】
しかしながら従来提案の構成では，高機能化された各機能も２色現像機能との組み合わせを実現することは出来ず，原稿上の文字や画像を変形・加工し，しかも色を変えることにより一層多彩で訴求力に富んだ複写を可能とする装置が求められていた。
【０００５】
本発明は上記問題点に鑑み，原稿画像に対して斜体処理・鏡像処理などの画像変形処理結果を再現する色を選択可能とした，高機能の複写装置を提供することを目的とする。
また，原稿画像に対して中抜き処理などの画像加工処理結果を再現する色を選択可能とした，高機能の複写装置を提供することを目的とする。
原稿画像に対して網掛け処理・影付け処理などの画像付加処理結果を再現する色を選択可能とした，高機能の複写装置を提供することを目的とする。
原稿画像に対してページ番号印字処理・日付印字処理などの情報付加処理結果を再現する色を選択可能とした，高機能の複写装置を提供することを目的とする。
【０００６】
【課題を解決するための手段】
上記目的を達成するために，第１の手段は，原稿画像を色分解して読みとることにより複数の色信号を出力する読み取り手段と，前記読み取り手段から出力される複数の色信号から第１の色情報を表す第１の色信号と第２の色情報を表す第２の色信号を分離して出力する分離手段と，前記第１の色信号に基づき第１の色の可視像を形成する第１の像形成手段と，前記第２の色信号に基づき第２の色の可視像を形成する第２の像形成手段と，前記第１の色信号または前記第２の色信号に日付情報を付加する日付情報付加手段と，前記第１の色信号または前記第２の色信号に前記日付情報を付加しない第１モードと，前記第の１の色信号または前記第２の色信号に前記日付け情報を付加し，前記第１の色信号，前記第２の色信号，および前記日付情報をそれぞれ第１の色とする第２モードと，前記第１の色信号または前記第２の色信号に前記日付情報を付加し，前記第１の色信号および前記第２の色信号を第１の色とし，前記日付情報を第２の色とする第３モードと，前記第１モード，前記第２モード及び前記第３モードのうちのいずれか１つを選択する選択手段と，前記選択手段によって選択されたモードにより前記第１の色の場合は前記第１の像形成手段に，前記第２の色の場合は前記第２の像形成手段に出力設定する制御手段とを備えたことを特徴とする。
【０００７】
【作用】
本発明は上記構成により，原稿画像に対して斜体処理・鏡像処理などの画像変形処理結果を第１の像形成手段と第２の像形成手段とに選択的に出力することが可能である。
【０００８】
【実施例】
以下，図面を参照して本発明の実施例を説明する。
図１は本発明を実施した複写機の一例を示す全体構成図である。
この複写機はスキャナ部１とプロッタ部からなり，図示しない操作パネルによって必要な複写条件が設定され，スキャナ部１のコンタクトガラス２上に原稿がセットされた状態でコピースタートキーが押下されると，スキャナ部１がコンタクトガラス２上の原稿画像の読み取りを開始する。
【０００９】
すなわち，第１ミラー３，光源４等と一体になった走行体５を図で左方に移動させることによって，コンタクトガラス２上に置かれた原稿画像を光学的に走査する。それによって，原稿面からの反射光像は順次第１ミラー３，第２ミラー６，第３ミラー７を介してレンズ８に導かれ，ＣＣＤカラーイメージセンサ９の受光面に結像される。そのＣＣＤカラーイメージセンサ９で読み取られた画像データの処理に関しては後で説明する。
【００１０】
一方，画像形成部１１ではその処理された画像データを画像形成し出力する。すなわち，感光体ドラム１２を矢印方向に回転させると同時に，その感光体ドラム１２上に付着した残留トナー及び不均一な電位が帯電チャージャ１３及び現像ユニット１４，１５に到達しないように，除電ランプ（ＱＬ）１６，転写前除電ランプ（ＰＴＬ）１７，転写チャージャ１８，分離チャージャ１９，イレーサ２０，及びクリーニングユニット２１を駆動して，除電ランプ１６を通過した後の感光体ドラム１２の表面電位が略ゼロになるようにする。
【００１１】
その後，感光体ドラム１２の表面を帯電チャージャ１３により一様に帯電するとともに，黒画像データに応じて図示しない半導体レーザからレーザ光を射出させる。半導体レーザから射出されるレーザ光は，図示しないシリンダレンズによって集光されて回転走査するポリゴンミラー（レーザ光発生器）２２に入射し，その反射光が光学系（レンズ）２３，及びミラー２４を介して感光体ドラム１２の表面を照射して静電潜像を形成する。
【００１２】
ついで感光体ドラム１２上に形成された潜像を，非画像部（画像作成領域からはみだした不要部分）の電荷をイレーサ２０によって除去した後，黒現像ユニット１５により黒トナーを付着させ可視像化する。このとき，現像バイアス電位を変化させることにより，画像の濃淡を調整することができる。
【００１３】
次に，カラー画像データに応じたＬＥＤアレイ４０による発光により，感光体ドラム１２の表面には再び静電潜像が形成され，カラー現像ユニット１４によりカラートナーを付着させ可視像化する。
【００１４】
黒画像に対するカラー画像の静電潜像の形成は，所定の時間分遅延されていないと転写紙上で画像位置が一致しないため，後述するメモリ等を用いて調整している。
この時間は，半導体レーザによる感光ドラム１２上の露光位置からＬＥＤアレイ４０による露光位置までの距離を，感光体ドラムの表面の回転速度で除したものである。
【００１５】
また，図示しないメインモータの駆動を選択的に取り出せる給紙クラッチのＯＮにより呼出コロ２５及び３個の給紙コロ２６のいずれかを駆動し，予め選択された給紙段にセットされている転写紙を停止中のレジストローラ対２７に向けて給紙させる。
レジストローラ対２７手前にはレジストセンサ２８が配設されており，そのレジストセンサ２８は例えば反射型フォトセンサであり，その対向位置に転写紙の先端が到着するとＯＮ状態になる。それから，一定時間経過後に給紙クラッチをＯＦＦ状態に戻して，搬送中の転写紙を停止させる。
【００１６】
なお，給紙クラッチのＯＦＦタイミングは，レジストセンサ２８とレジストローラ対２７の間を転写紙が搬送される時間より長く取られている。
従って，その転写紙は先端がレジストローラ対２７につきあてられ，先端側にたわみを生じてスキュー等を防止する状態で待機する。
その後，感光体ドラム１２上の黒画像先端にあわせたタイミングでレジストクラッチをＯＮ状態にし，それによってレジストローラ対２７が回転駆動されることにより，待機中の転写紙を転写部に向けて再搬送する。
【００１７】
その転写紙が転写部に到着すると，転写チャージャ１８の作用によって感光体ドラム１２上のトナー像をその転写紙上に転写し，続いて転写チャージャ１８と一体保持されている分離チャージャ１９の作用によって紙面上の帯電電位を下げて転写紙と感光体ドラム１２との密着力を低下させた後，分離爪２９によってその転写紙を感光体面から分離する。
【００１８】
次いで，その転写紙を２個のローラによって張装された搬送ベルト３０によって定着部へ送り，その定着ローラ３１によってトナー像を熱定着し，その後コピーモードとして片面モードが選択されていれば切替爪３２の上側を通して外部の図示しない排紙トレイに排紙し，両面モードが選択されていれば切替爪３２の切り替えによって下側の再給紙用搬送経路３へ送り込む。
【００１９】
なお，画像転写後の感光体ドラム１２上の残留トナーはクリーニングユニット２１を構成するクリーニングブラシ２１ａ，クリーニングブレード２１ｂによって除去してトナー回収タンク２１ｃに回収させ，さらに残存電荷を消去するためにその感光面を除電ランプ１６によって全面露光させる。
【００２０】
ところでこの複写機は，カラートナーとして「赤トナー」「青トナー」が使用可能であり，適宜操作者が必要な色のトナー用のカラー現像器を着脱交換して使用できるようになっている。複写機には装着したカラー現像器の色が識別できるように，図示しないが識別センサが付設されており，現在使用のカラー現像器が何色のトナー用なのかが検知できるようになっている。
【００２１】
現像器の色識別センサは例えば２連のフォトインタラプタを使用し，各色のカラー現像器の所定の位置には色識別用の遮光板が設けられている。この遮光板は，現像器のなかのカラートナーの色毎に異なる切欠部を有している。色識別センサはカラー現像器が装着されると，その遮光板の遮光部を挟んだフォトインタラプタのみが光路を遮断されるため，それに応じた信号を後述する制御部に出力することができる。
【００２２】
また，この複写機には，特定サイズの転写紙のみをまとめて収納できる通常の給紙カセットとして，それぞれ異なるサイズの転写紙をセットした３つの給紙カセット３４〜３６を着脱可能に備え，またそのいずれの給紙カセットにも収納されていない転写紙，すなわち不特定サイズの転写紙をセットできる手差しテーブル（手差しトレイ）３７をも備えている。
【００２３】
そして，各給紙カセット３４〜３６のいずれかに収納されている転写紙を用いてコピーする場合は，そのカセットサイズを図示しない操作パネル上のサイズ選択キーによって選択した後，コピースタートキーを押下することにより，その給紙カセットから転写紙の給紙が行われる。
【００２４】
なお，３８ａ〜３８ｃは各給紙カセット３４〜３６の各収納用紙サイズを検知するためのサイズ検知センサであり，例えば５連のフォトインタラプタを使用する。
また，各給紙カセット３４〜３６の先端部には，それぞれ図示しないサイズ識別用の遮光板が付設されている。この遮光板はカセット内に収納されるべき転写紙のサイズ毎に異なる切欠部を有している。
給紙カセットが装着された後のサイズ検知の過程は，先に述べたカラー現像器の場合と同様であるので，詳細は省略する。
【００２５】
図２は，本発明の特に画像処理部分の概略構成を示す構成図である。図１で既に説明済みであるが４は原稿読み取りのための照明光源であり，原稿２からの反射光は３，６，７の反射ミラーと結像レンズ８によりＣＣＤイメージセンサ９の受光面に結像する。
【００２６】
ＣＣＤイメージセンサ９は入射した原稿像の分光分布と照度に応じたＲ・Ｇ・Ｂの各３原色の色信号を出力する。１０１Ｒ，１０１Ｇ，１０１Ｂは各色信号用のアナログ処理回路であり，信号のレベル変換や増幅などを行う。１０２Ｒ，１０２Ｇ，１０２Ｂはデジタル処理回路であり，１０１の出力信号をアナログ−デジタル変換した後，シェーディング補正などのデジタル補正処理を行う。
【００２７】
１０３は色分離処理部であり，入力されたＲＧＢ各色信号から黒色の画像を表す「ＢＫ信号」と第２色（カラー）に該当する画像を表す「Ｃ信号」とを分離し，出力する。
【００２８】
１０４は画像処理部であり，入力されるＢＫ信号とＣ信号に対し後述する処理を施し，処理後のＢＫ信号とＣ信号を出力する。
【００２９】
画像処理部１０４から出力されたＢＫ信号出力に応じて，駆動回路１０６ＢＫは半導体レーザ１０７を駆動し，これらにより黒画像は前述の感光体ドラム上に静電潜像として形成される。
また，画像処理部１０４から出力されたＣ信号に応じて駆動回路１０６ＣはＬＥＤ
アレイ１０８を駆動し，これらによりカラー画像も感光体ドラム上に静電潜像を形成
出来る。
【００３０】
遅延整合メモリ１０５は図１の説明中にあったように，感光体ドラム上での半導体レーザによる露光位置とＬＥＤアレイによる露光位置のずれを時間補正するために必要なＦＩＦＯ（ First In / First Out ）メモリである。
【００３１】
制御部１０９は，先に説明したカラー現像器の色識別信号や，図示されない操作パネルの設定により複写モードが選択されると，必要な動作設定を各部に対して行う。
この設定例として，装着したカラー現像器での色識別信号により，これが『赤』であればＣ信号が原稿画像の赤情報に対応して出力されるように色分離処理部にパラメータ設定し，『青』であれば，Ｃ信号が原稿画像の青情報に対応して出力されるように色分離処理部にパラメータ設定を行う。つまり検出する第２色は装置に装着されたカラー現像器の現像色で決定される。
【００３２】
第３図は，第２図における画像処理部１０４を実現した一例である。
データセレクタ３０３は第２図の制御部１０９によって設定されるモード選択信号
「選択信号１」「選択信号２」により斜体の動作モードを切り替える。
３０２ａ，ｂは斜体処理部であり，画像の斜体動作を実現する。斜体動作の技術的内容に関しては特開昭６３−１９９５６８「画像処理装置」などにより既に公知であるため，詳細な説明は省略する。
【００３３】
選択信号１，２がともに『０』の場合，データセレクタ３０３は出力Ｙ０には入力Ａ０を，出力Ｙ１には入力Ａ１を選択するため，黒画像である入力のＢＫ信号と第２色画像である入力のＣ信号がそのまま出力され，結果として斜体動作を行わず原稿画像そのままの出力画像となる。
選択信号１が『１』，２が『０』の場合，データセレクタ３０３は出力Ｙ０には入力Ｂ０を，出力Ｙ１には入力Ｂ１を選択するため，黒画像と第２色画像の論理和が斜体されたものが出力ＢＫ信号として出力され，結果として原稿画像の斜体画像が黒単色で出力される。
選択信号１が『０』，２が『１』の場合，データセレクタ３０３は出力Ｙ０には入力Ｃ０を，出力Ｙ１には入力Ｃ１を選択するため，黒画像と第２色画像の論理和が斜体されたものが出力Ｃ信号として出力され，結果として原稿画像の斜体画像が第２色単色で出力される。
選択信号１が『１』，２が『１』の場合，データセレクタ３０３は出力Ｙ０には入力Ｄ０を，出力Ｙ１には入力Ｄ１を選択するため，黒画像の斜体画像が出力ＢＫ信号として，第２色画像の斜体画像が出力Ｃ信号として出力され，結果として原稿画像の斜体画像が黒及び第２色で出力される。
【００３４】
第４図も，第２図における画像処理部１０４を実現した一例である。
データセレクタ４０３は第２図の制御部１０９によって設定されるモード選択信号「選択信号１」「選択信号２」により中抜きの動作モードを切り替える。
４０２は中抜き処理部であり，画像の中抜き動作を実現する。  中抜き動作の技術的内容に関しては特開平４−１８４５７４「画像処理装置」などにより既に公知であるため，詳細な説明は省略する。
【００３５】
選択信号１，２がともに『０』の場合，データセレクタ４０３は出力Ｙ０には入力Ａ０を，出力Ｙ１には入力Ａ１を選択するため，黒画像である入力のＢＫ信号と第２色画像である入力のＣ信号がそのまま出力され，結果として中抜き動作を行わず原稿画像そのままの出力画像となる。
選択信号１が『１』，２が『０』の場合，データセレクタ４０３は出力Ｙ０には入力Ｂ０を，出力Ｙ１には入力Ｂ１を選択するため，黒画像と第２色画像の論理和が中抜きされたものが出力ＢＫ信号として出力され，結果として原稿画像の中抜き画像が黒単色で出力される。
選択信号１が『０』，２が『１』の場合，データセレクタ４０３は出力Ｙ０には入力Ｃ０を，出力Ｙ１には入力Ｃ１を選択するため，黒画像と第２色画像の論理和が中抜きされたものが出力Ｃ信号として出力され，結果として原稿画像の中抜き画像が第２色単色で出力される。
【００３６】
第５図も，第２図における画像処理部１０４を実現した一例である。
データセレクタ５０３は第２図の制御部１０９によって設定されるモード選択信号「選択信号１」「選択信号２」により網掛けの動作モードを切り替える。
５０４は主走査の画素同期クロックおよび副走査のライン同期信号を計数し，メモリアクセスのためのアドレス信号を出力するアドレスカウンタであり，網掛け動作のための網パターンが格納されたパターンメモリ５０５からパターン画像を出力させる。
【００３７】
選択信号１，２がともに『０』の場合，データセレクタ５０３は出力Ｙ０には入力Ａ０を，出力Ｙ１には入力Ａ１を選択するため，黒画像である入力のＢＫ信号と第２色画像である入力のＣ信号がそのまま出力され，結果として網掛け動作を行わず原稿画像そのままの出力画像となる。
選択信号１が『１』，２が『０』の場合，データセレクタ５０３は出力Ｙ０には入力Ｂ０を，出力Ｙ１には入力Ｂ１を選択するため，黒画像と第２色画像の論理和を原稿画像としてこれにパターン画像を合成したものが黒単色で出力される。
選択信号１が『０』，２が『１』の場合，データセレクタ５０３は出力Ｙ０には入力Ｃ０を，出力Ｙ１には入力Ｃ１を選択するため，黒画像と第２色画像の論理和を原稿画像として黒画像出力し，パターン画像が第２色画像として出力される。
【００３８】
第６図も，第２図における画像処理部１０４を実現した一例である。
データセレクタ６０３は第２図の制御部１０９によって設定されるモード選択信号「選択信号１」「選択信号２」により日付印字の動作モードを切り替える。
６０４は日付印字文字画像発生部であり，原稿画像に合成する日付印字文字の画像パターンを発生する。日付印字動作の技術的内容に関しては特開昭６２−２４５７７４「画像形成装置」などにより既に公知であるため，詳細な説明は省略する。
【００３９】
選択信号１，２がともに『０』の場合，データセレクタ６０３は出力Ｙ０には入力Ａ０を，出力Ｙ１には入力Ａ１を選択するため，黒画像である入力のＢＫ信号と第２色画像である入力のＣ信号がそのまま出力され，結果として日付印字動作を行わず原稿画像そのままの出力画像となる。
選択信号１が『１』，２が『０』の場合，データセレクタ６０３は出力Ｙ０には入力Ｂ０を，出力Ｙ１には入力Ｂ１を選択するため，黒画像と第２色画像の論理和を原稿画像としてこれに日付印字文字画像を合成したれたものが出力ＢＫ信号として出力され，結果として原稿画像と日付印字文字画像が黒単色で出力される。
選択信号１が『０』，２が『１』の場合，データセレクタ６０３は出力Ｙ０には入力Ｃ０を，出力Ｙ１には入力Ｃ１を選択するため，黒画像と第２色画像の論理和を原稿画像として黒画像出力し，日付印字文字画像が第２色画像として出力される。
【００４０】
【発明の効果】
以上説明したように，本発明によれば，多彩で訴求力に富んだ複写を可能とする高機能の複写装置が提供できる。
【図面の簡単な説明】
【図１】本発明に係る複写装置の一実施例の概略構成図である。
【図２】本発明に係る複写装置の画像処理部分のブロック図である。
【図３】本発明に係る複写装置の画像処理部分のブロック図である。
【図４】本発明に係る複写装置の画像処理部分のブロック図である。
【図５】本発明に係る複写装置の画像処理部分のブロック図である。
【図６】本発明に係る複写装置の画像処理部分のブロック図である。
【符号の説明】
１０１    アナログ処理回路
１０２    デジタル処理回路
１０３    色分離部
１０４    画像処理部
１０５    メモリ
１０６    駆動回路
１０７，１０８    半導体レーザ
１０９    制御部
３０２    斜体処理部
４０２    中抜き処理部
５０４    アドレスカウンタ
５０５    パターンメモリ
６０４    日付印字文字画像発生部
【図１】
0003698453.tif 000002
【図２】
0003698453.tif 000003
【図３】
0003698453.tif 000004
【図４】
0003698453.tif 000005
【図５】
0003698453.tif 000006
【図６】
0003698453.tif 000007